(57)【要約】【課題】簡易な構成でヘッドレストに取り付けることができ、運転中であっても簡単に位置調整を行うことのできる、ヘッドレスト取付け用サンバイザを提供する。【解決手段】日除け板２と、日除け板２の一端に設けられ日除け板２を回動可能に支持する軸部３とを有し、ヘッドレストＨに取り付けられた状態で、軸部３はヘッドレストＨの車幅方向外側に位置すると共に前端が後端より車両内側方向へ位置し、日除け板２はヘッドレストＨ後方の格納位置Ａにおいて板面がヘッドレストＨの後面と平行となるよう、ヘッドレスト取付け用サンバイザ１を構成する。【選択図】図１
2009214638.tif 000002
【特許請求の範囲】
【請求項１】
日除け板と、該日除け板の一端に設けられ該日除け板を回動可能に支持する軸部とを有し、
ヘッドレストに取り付けられた状態で、上記軸部はヘッドレストの車幅方向外側に位置すると共に前端が後端より車両内側方向へ位置し、
上記日除け板はヘッドレスト後方の格納位置において板面がヘッドレストの後面と平行であることを特徴とする、ヘッドレスト取付け用サンバイザ。
【請求項２】
前記軸部は、ヘッドレストの車幅方向外側後方に設けられた軸受け部に取り付けられることを特徴とする、請求項１に記載のヘッドレスト取付け用サンバイザ。
【請求項３】
前記軸部を支持する支持部材を有し、該支持部材は、ヘッドレストのステーに着脱可能なステー取付部を有することを特徴とする、請求項１に記載のヘッドレスト取付け用サンバイザ。
【発明の詳細な説明】
【技術分野】
【０００１】
本発明は自動車に取り付けられるサンバイザに係り、特に、ヘッドレストに取り付けられるサンバイザに関する。
【背景技術】
【０００２】
従来、運転席及び助手席の横方向から入射する太陽光に対し、通常のサンバイザでカバーできないエリアを遮光するため、ヘッドレストに取り付けられるサンバイザや、サンバイザを備えたヘッドレストが提供されている。
【０００３】
例えば特許文献１に記載されているようなサンバイザが知られている。この文献１には、ヘッドレスト本体の一側に開口を有してヘッドレスト本体に形成される空洞と、該空洞の壁面に沿うように配設されるガイド枠と、ガイド枠上を移動させてヘッドレスト本体内に収納できる一方、ヘッドレスト本対外へ引き出されて前記開口より前方に配置し得るサンバイザと、を具備するサンバイザ付きヘッドレストが開示されている。このようなサンバイザ付きヘッドレストによれば、サイドウィンドウから射し込む日差しを遮ることができる。
【０００４】
【特許文献１】特開平１０−１１９６１７号公報
【発明の開示】
【発明が解決しようとする課題】
【０００５】
しかしながら、特許文献１に開示されているサンバイザ付きヘッドレストでは、ヘッドレストとサンバイザが一体となっているため、ヘッドレストの構造が複雑となり、コストが高くなってしまう。
【０００６】
また、サンバイザの大きさはヘッドレストの大きさにより制限されてしまう。さらに、サンバイザを日差しの入射方向に合わせて調整しようとすると、ヘッドレストの高さを調節しなければならず、ヘッドレストを頭の高さに合わせるという要請に反する場合があると共に、運転中に調整できないという問題があった。
【０００７】
本発明は、上記問題点に鑑みてなされたものであり、簡易な構成でヘッドレストに取り付けることができ、運転中であっても簡単に位置調整を行うことのできるヘッドレスト取付け用サンバイザを提供することを目的とする。
【課題を解決するための手段】
【０００８】
上記目的を達成するため、本発明のヘッドレスト取付け用サンバイザは、日除け板と、この日除け板の一端に設けられ日除け板を回動可能に支持する軸部とを有し、ヘッドレストに取り付けられた状態で、軸部はヘッドレストの車幅方向外側に位置すると共に前端が後端より車両内側方向へ位置し、日除け板はヘッドレスト後方の格納位置において板面がヘッドレストの後面と平行であることを特徴とする。
【０００９】
軸部は、ヘッドレストの車幅方向外側後方に設けられた軸受け部に取り付けられてもよい。
【００１０】
また、軸部を支持する支持部材を有し、この支持部材は、ヘッドレストのステーに着脱可能なステー取付部を有していてもよい。
【発明の効果】
【００１１】
本発明のヘッドレスト取付け用サンバイザによれば、ヘッドレストにおける車幅方向外側部に位置する軸部を軸として日除け板を回動することで、運転中であっても容易に日除け板の位置を調整することができる。
【００１２】
軸部がヘッドレストの車幅方向外側後方に設けられた軸受け部に取り付けられる場合には、ヘッドレストに軸受け部を設けるだけでヘッドレスト取付け用サンバイザをヘッドレストに取り付けることができる。
【００１３】
また、支持部材とこれに設けられたステー取付部とを有する場合には、ステー取付部をヘッドレストのステーに着脱することでヘッドレストへの加工が不要となり、ユーザー側で簡単に着脱することができる。
【発明を実施するための最良の形態】
【００１４】
以下、本発明の好ましい実施の形態を添付図面を参照しながら詳細に説明する。なお、図においては車両右側のシートについてのみ説明するが、左側のシートでは図示及び説明が左右逆となる。
【００１５】
図１は、第一実施形態のヘッドレスト取付け用サンバイザを示す斜視図である。ヘッドレスト取付け用サンバイザ１は、日除け板２と、日除け板２の一端に設けられ日除け板２を回動可能に支持する軸部３とを有し、軸部３はヘッドレストＨにおける車幅方向外側後方部に固定される。ヘッドレスト取付け用サンバイザ１は、ヘッドレストＨの後方に位置する格納位置Ａと、ヘッドレストＨに着席した着席者Ｐの車両外側である使用位置Ｂとの間を、軸部３を軸として回動可能であり、図では格納位置Ａにおけるヘッドレスト取付け用サンバイザ１を二点鎖線で示す。
【００１６】
日除け板２は遮光性を有する板状部材である。全体が完全に不透明な材料から成っていてもよいし、図１に示すように不透明な基部２１と、サングラスに用いられるような８０パーセント程度の遮光性を有する透明素材からなる遮光部２２とから構成されていてもよい。
【００１７】
基部２１は、一端に軸部３を備えている。軸部３は、基部２１の板面に対し垂直に貫通する軸部材であり、ヘッドレストＨの車幅方向外側後部に設けられた軸受け部Ｈ１に対し回転可能に軸着される。すなわち、軸受け部Ｈ１と軸部３とにより回動機構を構成している。軸受け部Ｈ１と軸部３とはある程度の摩擦をもって互いに回動可能に軸着されるが、ラッチ（図示省略）などを介することにより適宜位置で回動を仮固定できるようにしてもよい。また、回動機構は軸部３と基部２１との間に設けられていてもよい。
【００１８】
上記基部２１は、軸部３と遮光部２２との間であってヘッドレスト取付け用サンバイザ１がヘッドレストＨの後方の収納位置にあるときに上方となる縁部に、基部２１の板面輪郭が外側へ突出して形成されたつまみ部２１ａを有する。
【００１９】
軸部３は、その前端、すなわち軸受け部Ｈ１に軸着される側の端が、後端、すなわち基部２１に接続される側の端より車幅方向内側に位置する。より詳細には、前端と後端とが同一の水平面内に位置し、後端から前端へ向かう軸方向が車両前方向に対し車両内側方向へ４５度傾いている。この軸部３の車両前方向に対する傾きは、車両のシートとサイドウィンドウとの位置関係などにより±１５度程度の間で適宜設定されることが望ましい。
【００２０】
日除け板２は、軸部３を軸として回動し、ヘッドレストＨの後方に位置する格納位置Ａと、ヘッドレストＨに着席した着席者Ｐの車両外側である使用位置Ｂと、これらの任意の位置とに位置することができる。また、軸受け部Ｈ１と軸部３との間の摩擦により、日除け板２は任意の位置で仮固定される。
【００２１】
また、図２に平面視して示すように、日除け板２は、軸部３の軸方向と遮光部２２の板面法線方向とが互いに４５度程度傾くようにヘッドレストＨ側へ湾曲している。この日除け板２の軸部３に対する傾きは、ヘッドレストＨと軸部３の成す角度などにより±１５度程度の間で適宜設定されることが望ましい。このように構成されることにより、日除け板２の板面は、格納位置ＡにおいてヘッドレストＨの後面と平行となり、使用位置ＢにおいてヘッドレストＨの後面と垂直、すなわちサイドウィンドウ（図示省略）と平行に位置することとなる。
【００２２】
以上のように構成されたヘッドレスト取付け用サンバイザ１の使用方法について説明する。サンバイザを使用しないときは、日除け板２を格納位置Ａに位置させると、日除け板２がヘッドレストＨの後面に沿うから、邪魔にならず外観上も好ましい。サンバイザを使用するときは、日除け板２のつまみ部２１ａを摘んで、軸部３を軸として日除け板２を上方へ回動させ、使用位置Ｂに位置させる。この際、日差しの入射方向などにより、日除け板２の位置を調整する。日除け板２は、軸部３と軸受け部Ｈ１との摩擦により位置が保持される。使用位置Ｂにおいて、日除け板２の板面はサイドウィンドウとほぼ平行となる。
【００２３】
サンバイザを格納するときは、以上の動作の逆を行う。一連の動作において、着席者Ｐは、ヘッドレストＨの後方に手を伸ばすだけでよいから、前方を向いたままでこれらの操作を行うことができる。
【００２４】
続いて、第二実施形態のヘッドレスト取付け用サンバイザについて説明する。なお、第一実施形態のヘッドレスト取付け用サンバイザ１と同様の部分については同一の符号を付すと共に適宜説明を省略する。図３は、ヘッドレスト取付け用サンバイザ１０を示し、（ａ）はヘッドレストＨに取り付けた状態でヘッドレストＨの右後方から見た斜視図、（ｂ）はヘッドレストＨから取り外して前方から見た斜視図である。
【００２５】
図３に示すように、ヘッドレスト取付け用サンバイザ１０は、日除け板２と、日除け板２の一端に設けられ日除け板２を回動可能に支持する軸部１３と、軸部１３を支持する支持部材としてのホルダ４とを有し、ホルダ４は、ヘッドレストＨのステーＨＳに着脱可能なステー取付孔４２ａ，４２ｂを有する。
【００２６】
軸部１３は、第一実施形態のヘッドレスト取付け用サンバイザ１における軸部３と異なり、ヘッドレストＨに軸着されておらず、ホルダ４に軸着されている。軸部１３の軸方向は、第一実施形態のヘッドレスト取付け用サンバイザ１における軸部３と同様、前端が後端より車両内側方向へ位置し、後端から前端へ向かう軸方向が車両前方向に対し車両内側方向へ４５度傾いている。
【００２７】
ホルダ４は、日除け板２を格納するため袋状をなし、格納位置Ａにおいて日除け板２の下半分を覆う。ホルダ４の下端には、ヘッドレストＨのステーＨＳに着脱可能なステー取付孔４２ａ，４２ｂが設けられる。ステー取付孔４２ａ，４２ｂは、ヘッドレストＨのステーＨＳが貫通可能な孔である。ヘッドレストＨをシートから取り外し、ヘッドレストＨのステーＨＳがステー取付孔４２ａ，４２ｂを貫通するようにして再度ヘッドレストＨをシートに取り付けることで、ヘッドレスト取付け用サンバイザ１０がヘッドレストＨに固定される。なお、ステー取付孔４２ａ，４２ｂの代わりに一対のクリップ状の部材（図示省略）などによりヘッドレスト取付け用サンバイザ１０をヘッドレストＨのステーＨＳに取り付けてもよい。
【００２８】
以上のように、第二実施形態のヘッドレスト取付け用サンバイザ１０は、ヘッドレストＨのステーＨＳに対して固定し得るため、ヘッドレストに加工をすることなく、ユーザーが簡単に着脱することができるものである。その使用方法は第一実施形態のヘッドレスト取付け用サンバイザ１と同様である。
【００２９】
以上説明したように、本発明のヘッドレスト取付け用サンバイザは、日除け板と、日除け板の一端に設けられ日除け板を回動可能に支持する軸部とを有し、この軸部はヘッドレストの車幅方向外側に位置すると共に前端が後端より車両内側方向へ位置し、日除け板の法線方向が軸部の軸方向に対し約４５度、すなわちヘッドレスト後方の格納位置において板面がヘッドレストの後面と平行となるよう傾いているものであり、その主旨を逸脱しない範囲において様々な形態で実施することができる。
【図面の簡単な説明】
【００３０】
【図１】第一実施形態のヘッドレスト取付け用サンバイザを示す斜視図である。
【図２】図１のヘッドレスト取付け用サンバイザを示す平面図である。
【図３】第二実施形態のヘッドレスト取付け用サンバイザを示し、（ａ）は斜視図、（ｂ）はヘッドレストから取り外して前方から見た斜視図である。
【符号の説明】
【００３１】
１，１０      ヘッドレスト取付け用サンバイザ
２      日除け板
３，１３      軸部
４      ホルダ
２１    基部
２１ａ  つまみ部
２２    遮光部
４２ａ  ステー取付孔
Ａ      格納位置
Ｂ      使用位置
Ｈ      ヘッドレスト
ＨＳ    ステー
Ｐ      着席者
【図１】
2009214638.tif 000003
【図２】
2009214638.tif 000004
【図３】
2009214638.tif 000005